(57)【特許請求の範囲】
【請求項１】
形状が互いに異なる第１のカードおよび第２のカードのうちの１枚のカードが選択的に着脱可能な共通のカードスロットを有するとともに、該第１のカードおよび第２のカードの電極部を電気的に接続する複数のコンタクト端子群を有し、該第１のカードまたは第２のカードを共通の平面上に収容するカード収容部を有するハウジングと、
前記ハウジングの底部に対し摺動可能に配され、前記第１のカードの横幅よりも狭い横幅を有する第２のカードの進行端を正規のコンタクト端子群に向かうように前記カードスロットを通過した該第２のカードを誘導するように前記カード収容部に進入する進入位置、または、該カード収容部の進入位置から後退し前記ハウジングの少なくとも一方の側壁部内に待機し前記カードスロットを通過した前記第１のカードを案内する待機位置をとるスライドブロックと、
前記ハウジングの少なくとも一方の側壁部内に配され、前記第１のカードが前記カードスロットを通過したとき、該第１のカードの側部で押圧されるコネクタの幅方向に対し弾性変位可能な可動片部を有するロック機構制御片と、
前記スライドブロックが前記進入位置にある場合、該スライドブロックにおける被係合部と当接する第１のロック部と、前記第１のカードの側部で押圧されない場合、前記ロック機構制御片の可動片部に係止される第２のロック部と、を有するロック部材を備え、
前記ロック部材は、第１のロック部と前記スライドブロックにおける前記被係合部との当接または第２のロック部と前記ロック機構制御片の前記可動片部との係止が維持状態にある場合、スライドブロックをロック状態とするとともに、前記ロック機構制御片の可動片部が前記第１のカードの側部で押圧され、コネクタの幅方向に対し弾性変位するとき、
第２のロック部と前記ロック機構制御片の可動片部との係止が解放され、且つ、前記第１のロック部がコネクタの高さ方向に対し弾性変位し、前記スライドブロックにおける被係合部から離隔することで該スライドブロックをアンロック状態とするように構成されることを特徴とするカード用コネクタ。
【請求項２】
前記第１のカードが前記カードスロットを通過しない場合、前記ロック機構制御片は、
前記ロック部材を拘束し、前記第１のカードが前記カードスロットを通過する場合、該ロック機構制御片は、前記第２のロック部を解放することを特徴とする請求項１記載のカード用コネクタ。
【請求項３】
前記ロック部材の第２のロック部が前記ロック機構制御片の可動片部に係止されない場合、前記ロック部材の第１のロック部がスライドブロックをアンロック状態とするとき、
前記スライドブロックは、摺動可能とされることを特徴とする請求項２記載のカード用コネクタ。
【請求項４】
前記スライドブロックを前記待機位置から前記進入位置に向けて移動させるように付勢する弾性部材が前記ハウジングの側壁部内に設けられることを特徴とする請求項１乃至請求項３のうちのいずれかに記載のカード用コネクタ。
【請求項５】
前記ロック機構制御片の可動片部は、前記カードスロットを形成する前記ハウジングの案内溝の開口部を通じて前記第１のカードの側部で押圧されることを特徴とする請求項１乃至請求項４のうちのいずれかに記載のカード用コネクタ。
【請求項６】
前記ハウジングのカード収容部を覆う金属製のカバー部材をさらに備え、
前記カバー部材は、前記カード収容部に向けて突出する突起片を一体に前記カードスロット近傍に有し、挿入された前記第１のカードの最先端部が該突起片に当接することにより、該第１のカードの裏差し挿入が規制されることを特徴とする請求項１乃至５のうちのいずれかに記載のカード用コネクタ。
【発明の詳細な説明】
【技術分野】
【０００１】
本発明は、複数種類のＩＣカードのうちのいずれのＩＣカードも選択的に収容できるカード収容部を備えるカード用コネクタに関する。
【背景技術】
【０００２】
ＩＣカードコネクタにおいては、互いに形状の異なる複数のＩＣカードを一つの電子機器内に装着し利用するために各ＩＣカードに対し共通のカードスロットをコネクタハウジングに有するとともに、各ＩＣカードが１枚づつ選択的に着脱される複合のカード収容部をコネクタハウジング内に設けたものが提案されている。
【０００３】
このような複合のカード収容部をコネクタハウジング内に有するＩＣカードコネクタにおいては、各カード収容部は、一部を互いに重複するようにＩＣカードの着脱方向に沿って階層的に形成されている。斯かる構成においては、所定のＩＣカードが、正規のカード収容部とは異なるカード収容部への使用者による誤った挿入操作、あるいは、挿入操作のとき、そのＩＣカードの先端部によって利用されないコンタクト端子群の損傷を回避しつつ、ＩＣカードの円滑な着脱を可能とすることが必要とされる。
【０００４】
この必要な対策として、例えば、特許文献１および特許文献２にも示されるように、所定のＩＣカードの誤った挿入操作を規制する誤挿入規制部材またはシャッター部材を共通のカードスロット近傍の内部に有する誤挿入防止機構を備えるものが提案されている。
【先行技術文献】
【特許文献】
【０００５】
【特許文献１】特許第４６６９３８４号公報
【特許文献２】特許第３８０３０９８号公報
【発明の概要】
【発明が解決しようとする課題】
【０００６】
上述のような誤挿入規制部材またはシャッター部材は、カード収容部を横切りコネクタハウジングの両側壁に跨って回動可能に配置されているので誤挿入規制部材またはシャッター部材の回転中心回りの回動領域がコネクタハウジング内に必要とされる。従って、誤挿入規制部材またはシャッター部材の回動半径、即ち、回動領域の直径よりも小となるようにコネクタハウジングの厚さを薄くすることは困難となるので上述のような誤挿入規制部材またはシャッター部材を備えるＩＣカードコネクタの低背化には一定の限界がある。
【０００７】
しかしながら、ＩＣカードコネクタが搭載される携帯電話等の電子機器においては、さらなる薄型化が要望されているのでＩＣカードコネクタの低背化が要望されている。
【０００８】
以上の問題点を考慮し、本発明は、複数種類のＩＣカードのうちのいずれのＩＣカードも選択的に収容できるカード収容部を備えるカード用コネクタであって、ＩＣカードの円滑な着脱を誘導できるとともに、カード用コネクタの低背化を図ることができるカード用コネクタを提供することを目的とする。
【課題を解決するための手段】
【０００９】
上述の目的を達成するために、本発明に係るカード用コネクタは、形状が互いに異なる第１のカードおよび第２のカードのうちの１枚のカードが選択的に着脱可能な共通のカードスロットを有するとともに、第１のカードおよび第２のカードの電極部を電気的に接続する複数のコンタクト端子群を有し、第１のカードまたは第２のカードを共通の平面上に収容するカード収容部を有するハウジングと、ハウジングの底部に対し摺動可能に配され、第１のカードの横幅よりも狭い横幅を有する第２のカードの進行端を正規のコンタクト端子群に向かうようにカードスロットを通過した第２のカードを誘導するようにカード収容部に進入する進入位置、または、カード収容部の進入位置から後退しハウジングの少なくとも一方の側壁部内に待機しカードスロットを通過した第１のカードを案内する待機位置をとるスライドブロックと、ハウジングの少なくとも一方の側壁部内に配され、第１のカードがカードスロットを通過したとき、第１のカードの側部で押圧されるコネクタの幅方向に対し弾性変位可能な可動片部を有するロック機構制御片と、スライドブロックが進入位置にある場合、スライドブロックにおける被係合部と当接する第１のロック部と、第１のカードの側部で押圧されない場合、ロック機構制御片の可動片部に係止される第２のロック部と、を有するロック部材を備え、ロック部材は、第１のロック部とスライドブロックにおける被係合部との当接または第２のロック部とロック機構制御片の可動片部との係止が維持状態にある場合、スライドブロックをロック状態とするとともに、ロック機構制御片の可動片部が第１のカードの側部で押圧され、コネクタの幅方向に対し弾性変位するとき、第２のロック部とロック機構制御片の可動片部との係止が解放され、且つ、第１のロック部がコネクタの高さ方向に対し弾性変位し、スライドブロックにおける被係合部から離隔することでスライドブロックをアンロック状態とするように構成されることを特徴とする。
【００１０】
また、第１のカードがカードスロットを通過しない場合、ロック機構制御片は、ロック部材を拘束し、第１のカードがカードスロットを通過する場合、ロック機構制御片は、第２のロック部を解放するものでもよい。
【００１１】
さらに、ロック部材の第２のロック部がロック機構制御片の可動片部に係止されない場合、ロック部材の第１のロック部がスライドブロックをアンロック状態とするとき、スライドブロックは、摺動可能とされるものでもよい。スライドブロックを待機位置から進入位置に向けて移動させるように付勢する弾性部材が、ハウジングの側壁部内に設けられてもよい。ロック機構制御片の可動片部は、カードスロットを形成するハウジングの案内溝の開口部を通じて第１のカードの側部で押圧されてもよい。そして、ハウジングのカード収容部を覆う金属製のカバー部材をさらに備え、カバー部材は、カード収容部に向けて突出する突起片を一体にカードスロット近傍に有し、挿入された第１のカードの最先端部が突起片に当接することにより、第１のカードの裏差し挿入が規制されてもよい。
【発明の効果】
【００１３】
本発明に係るカード用コネクタによれば、ハウジングが、形状が互いに異なる第１のカードおよび第２のカードのうちの１枚のカードが選択的に着脱可能な共通のカードスロットを有するとともに、第１のカードおよび第２のカードの電極部を電気的に接続する複数のコンタクト端子群を有し、第１のカードまたは第２のカードを共通の平面上に収容するカード収容部を有するのでカード用コネクタの低背化を図ることができる。また、第１のカードの横幅よりも狭い横幅を有する第２のカードの進行端を正規のコンタクト端子群に向かうようにカードスロットを通過した第２のカードを誘導するようにカード収容部に進入する進入位置、または、カード収容部の進入位置から後退しハウジングの少なくとも一方の側壁部内に待機しカードスロットを通過した第１のカードを案内する待機位置をとるスライドブロックと、ハウジングの少なくとも一方の側壁部内に配され、第１のカードがカードスロットを通過したとき、第１のカードの側部で押圧されるコネクタの幅方向に対し弾性変位可能な可動片部を有するロック機構制御片と、スライドブロックが進入位置にある場合、スライドブロックにおける被係合部と当接する第１のロック部と、第１のカードの側部で押圧されない場合、ロック機構制御片の可動片部に係止される第２のロック部と、を有するロック部材と、を備えるのでＩＣカードの円滑な着脱を誘導できる。
【図面の簡単な説明】
【００１４】
【図１】本発明に係るカード用コネクタの第１実施例の全体構成を示す分解斜視図である。
【図２】本発明に係るカード用コネクタの第１実施例の全体の外観を示す斜視図である。
【図３】図２に示される例において、カバー部材を取り外した状態を示す斜視図である。
【図４】（Ａ），（Ｂ）、（Ｃ）、（Ｄ）は、それぞれ、図２に示される例における動作説明に供される構成図である。
【図５】（Ａ），（Ｂ）、（Ｃ）、（Ｄ）は、それぞれ、図２に示される例における動作説明に供され、ロック部材を部分的に拡大して示す斜視図である。
【図６】図２に示される例において、ＩＣカードとともにカードスロットを示す正面図である。
【図７】本発明に係るカード用コネクタの第２実施例の全体の外観を示す斜視図である。
【図８】図７に示される例において、カバー部材を取り外した状態を示す斜視図である。
【図９】（Ａ）は、本発明に係るカード用コネクタの第３実施例の外観を示す斜視図であり、（Ｂ）は、（Ａ）に示される例におけるＢ部を部分的に拡大して示す拡大図である。
【図１０】（Ａ）は、ＳＤカードが誤って裏差し挿入された状態の説明に供される斜視図であり、（Ｂ）は、（Ａ）に示される例におけるＡ部を部分的に拡大して示す拡大図である。
【発明を実施するための形態】
【００１５】
本発明に係るカード用コネクタの後述する第１実施例乃至第３実施例は、例えば、携帯電話機、ＰＤＡ、デジタルカメラ等の電子機器内部の配線基板ＰＢに配されるものとされる。
【００１６】
カード用コネクタには、メモリーカード、例えば、第１のカードとしてのＳＤカード（ｓｅｃｕｒｅ  ｄｅｇｉｔａｌ ｃａｒｄ）（商標）ＳＤＣ（図４（Ａ）〜（Ｄ）参照）、または、第２のカードとしてのメモリースティックＰＲＯ−ＨＧ  Ｄｕｏ（商標）カード２２（図３および図６参照）のうちのいずれかが着脱可能に収容される。カード用コネクタは、収容されたメモリーカードのコンタクトパッドと所定の電子機器の内部に配される信号入出力用等の配線基板ＰＢの接続端子部とを電気的に接続するものとされる。なお、そのカード用コネクタは、メモリースティックＰＲＯ−ＨＧ  Ｄｕｏ（商標）カード（以下、ＨＧ−Ｄｕｏカード２２ともいう）の代わりに、例えば、外形寸法が互いに同一とされるメモリースティックＰＲＯ−Ｄｕｏ（商標）と呼ばれるメモリーカード（不図示）も着脱可能に装着される。
【００１７】
なお、メモリーカードは、上述のＳＤカードに限られることなく、ＭＭＣ（ｍｕｌｔｉ  ｍｅｄｉａ  ｃａｒｄ）カード（商標）、フラッシュメモリまたは超小型のハードディスクを内蔵したカード等のいずれかの中から選択されるものであってもよい。
【００１８】
ＳＤカードＳＤＣは、例えば、厚さ約２．１ｍｍ、縦横の寸法がそれぞれ約３２ｍｍ、約２４ｍｍに設定されている。ＨＧ−Ｄｕｏカード２２の長手寸法および幅寸法は、ＳＤカードＳＤＣの長手寸法および幅寸法に比して、小である。ＳＤカードＳＤＣは、図４（Ａ）〜（Ｄ）に示されるように、互いに平行に形成される複数の凹部内に配されるコンタクトパッドＳＤＥをその裏面部の先端部に有している。その裏面部の先端部における一方の角には、面取り部が形成されている。また、図４（Ａ）〜（Ｄ）において、ＳＤカードＳＤＣの右側面部には、移動可能なライトプロテクトボタンＳＤＢが設けられている。なお、図４（Ａ）〜（Ｄ）は、ＳＤカードＳＤＣの裏面部側から見たＳＤカードＳＤＣを示す。
【００１９】
板状のＨＧ−Ｄｕｏカード２２は、図３に二点鎖線で示されるように、例えば、相対向する表面部２２Ａおよび裏面部２２Ｂを有する。ＨＧ−Ｄｕｏカード２２は、その先端の角部に、面取り部を有している。ＨＧ−Ｄｕｏカード２２における裏面部２２Ｂには、その面取り部に隣接した部分に形成される比較的浅い凹部の周囲に、突起部がＨＧ−Ｄｕｏカード２２の側面に沿って所定の長さだけ形成されている。
【００２０】
ＨＧ−Ｄｕｏカード２２の裏面部２２Ｂにおける先端部には、上述の凹部から中央側に離隔した位置に、複数の凹部がその長辺に対し略平行に所定の間隔で形成されている。各凹部の幅およびＨＧ−Ｄｕｏカード２２の長手方向に沿った長さは、互いに同一に設定されている。隣接する凹部相互間、および、その列の端に位置する凹部と上述の凹部との間は、仕切壁により仕切られている。上述の複数の凹部、例えば、１４個の凹部には、それぞれ、コンタクトパッドが配設されている。
【００２１】
図２は、本発明に係る第１実施例のカード用コネクタの全体の外観を示す。
【００２２】
カード用コネクタは、図１に示されるように、収容されるＳＤカードＳＤＣ、ＨＧ−Ｄｕｏカード２２またはＤｕｏカード（不図示）に対する電気的接続を行う複数のコンタクト端子等が配列されるベース部材１２と、ベース部材１２と協働して各カードの共通のカード収容部を形成するカバー部材１０とを含んで構成されている。
【００２３】
門形状断面形状を有するカバー部材１０は、図２に示されるように、薄板の金属材料に対し打ち抜きや折曲げなどの加工が行われ形成されている。カバー部材１０の両方の側面部には、略長方形の係合孔が複数個、形成されている。
【００２４】
図３に示されるように、カバー部材１０は、その各係合孔と、ベース部材１２の各爪部１２ａがそれぞれ係合されることにより、ベース部材１２に対し固定されることとなる。
【００２５】
また、図２に示されるように、カバー部材１０の両側面部を連結する上面部における一方の側面部側には、後述するイジェクト機構２４におけるカムレバー（不図示）を移動可能に支持する押さえバネ１０ＬＦが設けられている。弾性を有する押さえバネ１０ＬＦの基端部は、カバー部材１０に一体に形成されている。押さえバネ１０ＬＦは、例えば、カバー部材１０の一部がプレス加工によりその内側に向けて打ち抜かれて形成されている。従って、カバー部材１０における押さえバネ１０ＬＦに対応する部分の周囲には、開口が形成されている。
【００２６】
カバー部材１０の上面部における後述するカードスロット１２ＣＳ側であってカード収容部の真上となる位置には、図１に示されるように、所定の間隔をもって形成される押圧片１０ＦＢおよび１０ＦＣが形成されている。弾性変位可能な押圧片１０ＦＢおよび１０ＦＣの先端部は、それぞれ、カード収容部内に進入し、挿入されたＳＤカードＳＤＣを後述するカード収容部に向けて付勢するものとされる。これにより、ＳＤカードＳＤＣが排出される場合、ＳＤカードＳＤＣの急峻な飛び出しが回避される。押圧片１０ＦＢおよび１０ＦＣの基端部は、それぞれ、カバー部材１０の上面部の他の部分と一体に成形されている。押圧片１０ＦＢおよび１０ＦＣの先端部には、それぞれ、ＳＤカードＳＤＣの表面に当接する当接部を有している。押圧片１０ＦＢおよび１０ＦＣの先端部の周囲には、開口部１０ｂおよび１０ｃが形成されている。
【００２７】
また、カバー部材１０の上面部には、スライドブロックロック部材１０ＦＡが形成されている。スライドブロックロック部材１０ＦＡは、カバー部材１０の一方の側面部と押圧片１０ＦＢとの間に設けられている。スライドブロックロック部材１０ＦＡ（以下、ロック部材１０ＦＡともいう）は、他の部分と一体に成形されている。ロック部材１０ＦＡは、ＳＤカードＳＤＣの着脱に応じて後述するスライドブロック１６をベース部材１２に対しロック状態、あるいは、アンロック状態とするものとされる。
【００２８】
ロック部材１０ＦＡの基端部は、図１に示されるように、カバー部材１０の上面部の他の部分と一体に成形されている。Ｚ座標軸（いわゆるコネクタの高さ方向）に沿って弾性変位可能なロック部材１０ＦＡの先端部は、カード収容部に向けてカバー部材１０の上面部が打ち抜かれ形成されている。ロック部材１０ＦＡの周囲には、開口部１０ａが形成されている。ロック部材１０ＦＡは、スライドブロック１６が所定の進入位置にある場合、側壁１２ＲＷの内周面とスライドブロック１６の係止用段差部１６ｅとの間に配される鉤状の第１のロック部１０ｆａと、後述するロック金具２８の開孔２８ａに挿入される第２のロック部１０ｆｂとを有している。第１のロック部１０ｆａおよび第２のロック部１０ｆｂは、所定の間隔をもって互いに平行に形成されている。
【００２９】
さらに、上述の上面部における押さえバネ１０ＬＦに隣接して後述するコンタクト端子１９ａｉの真上となる位置には、複数の開口部１０ｄｉ（ｉ＝１〜８）が形成されている。各開口部１０ｄｉの周縁には、カード収容部に向けて突出する折曲片１０ｔが形成されている。折曲片１０ｔは、挿入されたＳＤカードＳＤＣの端部に当接することにより、正規の挿入方向側の端部とは逆となる方向側の端部からＳＤカードＳＤＣを誤ってカードスロットに挿入する、所謂、逆差し挿入によるコンタクト端子の損傷を回避するものとされる。
【００３０】
ベース部材１２におけるカード収容部１２Ａは、図１および図３に示されるように、上方、および後述するコンタクト端子固定部側とは反対側の端部が、開口している。カード収容部１２Ａは、図４（Ｄ）に示されるように、ＳＤカードＳＤＣ、または、ＨＧ−Ｄｕｏカード２２、あるいは、Ｄｕｏカード（不図示）のうちの１枚のＩＣカードが選択的に共通の平面上に収容される、即ち、３種類のＩＣカードに共用されるカード収容部とされる。その結果、カード収容部が階層的に形成されていないのでコネクタハウジングの低背化が図られる。
【００３１】
上述のカバー部材１０によりベース部材１２が覆われる場合、図２に示されるように、カード収容部１２Ａの一方の端部にＳＤカードＳＤＣ、ＨＧ−Ｄｕｏカード２２およびＤｕｏカードのうちの一枚のＩＣカードが選択的に通過される共通のカードスロット１２ＣＳが形成されることとなる。
【００３２】
その共通のカードスロット１２ＣＳの周縁の右端部は、図６に拡大されて示されるように、挿入されるＳＤカードＳＤＣの一方の側部を案内する案内溝１２ＦＲを有している。案内溝１２ＦＲの周縁の上壁部１２ＦＷは、図１および図３に示されるように、側壁１２ＲＷに沿って所定の長さだけ延在している。
【００３３】
ベース部材１２は、例えば、成形樹脂材料で一体に成形されている。ベース部材１２は、図３に示されるように、カード収容部１２Ａの両側部をそれぞれ形成する側壁１２ＲＷ、および、１２ＬＷと、ＨＧ−Ｄｕｏカード２２およびＤｕｏカード用のコンタクト端子１８ａｉ（ｉ＝１〜１４）、ＳＤカードＳＤＣ用のコンタクト端子１９ａｉ（ｉ＝１〜９）が配されるコンタクト端子固定壁部１２ＢＷと、側壁１２ＲＷ、および１２ＬＷとコンタクト端子固定壁部１２ＢＷとを連結する底部とを含んで構成されている。
【００３４】
側壁１２ＬＷの外面には、図３に示されるように、上述のカバー部材１０の係合孔に対応して爪部１２ａ、１２ｂ、１２ｃが所定の間隔で形成されている。側壁１２ＲＷの外面にも、図示が省略されるが、同様な爪部１２ａ、１２ｂ、１２ｃが上述のカバー部材１０の係合孔に対応して所定の間隔で形成されている。
【００３５】
例えば、複数のコンタクト端子１９ａｉは、図３に示されるように、所定の相互間隔で側壁１２ＲＷおよび１２ＬＷに対して略平行に、コンタクト端子固定壁部１２ＢＷの上部からカード収容部１２Ａ内に延在するように配列されている。
【００３６】
また、複数のコンタクト端子１８ａｉは、所定の相互間隔で側壁１２ＲＷおよび１２ＬＷに対して略平行に、コンタクト端子１９ａｉの下方となる位置で、コンタクト端子固定壁部１２ＢＷの下部からカード収容部１２Ａ内に延在するように配列されている。
【００３７】
コンタクト端子１９ａｉは、弾性を有しＳＤカードＳＤＣのコンタクトパッドＳＤＥに当接し電気的に接続される接点部と、配線基板ＰＢの電極部に半田付け固定され電気的に接続される半田付端子部と、その接点部と半田付端子部とを相互に連結し、ベース部材１２に固定される固定部とを含んで構成されている。薄板金属材料、例えば、バネ用燐青銅で作られるコンタクト端子１９ａｉの固定部は、図示が省略されるが、コンタクト端子固定壁部１２ＢＷに形成される溝に、コンタクト端子固定壁部１２ＢＷに形成される透孔を通じてＳＤカードＳＤＣの挿入方向とは反対方向の側から圧入されることにより、ベース部材１２に固定されている。
【００３８】
コンタクト端子１８ａｉ（ｉ＝１〜１４）は、弾性を有し、ＨＧ−Ｄｕｏカード２２およびＤｕｏカードのコンタクトパッドに当接し電気的に接続される接点部と、上述の配線基板ＰＢの電極部に半田付け固定され電気的に接続される半田付端子部と、その接点部と半田付端子部とを相互に連結し、ベース部材１２に固定される固定部とを含んで構成されている。コンタクト端子１８ａｉは、ベース部材１２とともにインサート成形されて設けられている。各コンタクト端子１８ａｉの半田付端子部は、コンタクト端子固定壁部１２ＢＷの端部から突出し、一列状に配列されている。
【００３９】
側壁１２ＲＷの内側部分には、図３に示されるように、ＳＤカードＳＤＣおよびＨＧ−Ｄｕｏカード２２またはＤｕｏカードのうちの１枚のＩＣカードを、カード収容部１２Ａに保持するとともに、カード収容部１２Ａからその１枚のＩＣカードを選択的に排出するイジェクト機構２４が設けられている。
【００４０】
イジェクト機構２４は、ベース部材１２に対し移動可能に支持され、ＳＤカードＳＤＣ等を選択的に保持するイジェクト部材２４Ｊと、ベース部材１２のコンタクト端子固定壁部１２ＢＷに隣接する壁およびイジェクト部材２４Ｊ相互間に介装され、イジェクト部材２４ＪをＳＤカードＳＤＣの排出方向に付勢するコイルスプリング２４Ｓと、ＳＤカードＳＤＣの着脱操作に応じてイジェクト部材２４Ｊを選択的にベース部材１２に対し保持または解放する制御を行うイジェクト部材制御部と、を含んで構成されている。
【００４１】
イジェクト部材制御部は、例えば、特開２００４−３１１４１６号公報にも示されるようなイジェクト部材２４Ｊにおける側壁１２ＲＷ側に形成された略ハート形状のカム要素（ハートカム）と、ハートカムの周囲に形成された複数の段差部からなるレバー案内溝と、一方の端部が側壁１２ＲＷの孔に連結され、他方の端部がレバー案内溝に沿って摺動せしめられる門形状のカムレバー（不図示）と、上述のカバー部材１０の押さえバネ１０ＬＦ（図２参照）とを含んで構成されている。
【００４２】
押さえバネ１０ＬＦは、カムレバーの屈曲された先端をレバー案内溝の案内面に対し摺接させるように付勢するものとされる。これにより、カムレバーの一端部が、イジェクト部材２４Ｊの動作に追従してレバー案内溝を構成する各案内溝を順次、経由して案内され、ハートカムに形成されるカム面に一旦、保持されることによって、ＳＤカードＳＤＣ等を伴うイジェクト部材２４Ｊがカード収容部内に保持されることとなる。そして、ＳＤカードＳＤＣ等のさらなる押し込み操作により、そのカムレバーの一端部が、カム面から離隔されるとき、ＳＤカードＳＤＣ等を伴うイジェクト部材２４Ｊがコイルスプリング２４Ｓの付勢力によりカード排出方向に移動せしめられる。
【００４３】
イジェクト部材２４Ｊは、図１に拡大されて示されるように、上述のカム要素およびレバー案内溝が内側に形成される部分に対し略垂直にカード収容部１２Ａ側に延びるカード受け部２４ＪＲを有している。カード受け部２４ＪＲは、ＳＤカードＳＤＣの先端部における略直角な角部、または、ＨＧ−Ｄｕｏカード２２およびＤｕｏカードの先端部を受け止めるものとされる。さらに、上述のカム要素およびレバー案内溝が内側に形成される部分におけるカード受け部２４ＪＲが交差する部分に連なる内側端面２４ＪＥは、ＳＤカードＳＤＣがカード収容部１２Ａに装着される場合、図４（Ｄ）に示されるように、スライドブロック１６のＬ字状のストッパ部１６Ｒを受け止めるものとされる。
【００４４】
スライドブロック１６は、ベース部材１２の底部に形成される突起部１２Ｐの両脇に形成される溝部１２Ｇａおよび１２Ｇｂ内を図３におけるＹ座標軸に沿って摺動可能に配されている。これにより、スライドブロック１６は、図４（Ａ）に示されるように、カード収容部１２Ａ内に進入した進入位置、または、図４（Ｄ）に示されるように、進入位置から後退し内側端面２４ＪＥに受け止められる待機位置との間で摺動せしめられる。なお、Ｙ座標軸は、図３における直交座標系において、ＳＤカードＳＤＣ等の着脱方向に沿ったＸ座標軸に対し直交する方向に沿ってとられている。
【００４５】
スライドブロック１６は、図１に示されるように、ベース部材１２の側壁１２ＲＷの内周部に向かい合うように配されスライドブロック１６を上述の待機位置に位置決めするＬ字状のストッパ部１６Ｒと、側壁１２ＲＷの内周部に向かい合うように配されストッパ部１６Ｒの一辺部と一体に形成される係止用段差部１６ｅと、溝部１２Ｇａおよび１２Ｇｂ内に配される底部とを含んで構成されている。
【００４６】
スライドブロック１６の底部からストッパ部１６Ｒの上面までの高さは、図３に示されるように、ストッパ部１６Ｒの上面が上述のイジェクト部材２４Ｊの上面と共通の平面上にあるように設定されている。
【００４７】
係止用段差部１６ｅは、スライドブロック１６がガイド位置にある場合、上述のロック部材１０ＦＡの鉤状の第１のロック部１０ｆａの一端が当接する平坦部を有している。
【００４８】
このように係止用段差部１６ｅと第１のロック部１０ｆａとが当接した状態を維持することで、スライドブロック１６のロック状態も維持される。
【００４９】
係止用段差部１６ｅおよびストッパ部１６Ｒにおけるカード収容部１２Ａに進入する外周面には、挿入されるＨＧ−Ｄｕｏカード２２およびＤｕｏカードの進行側の端部をコンタクト端子１８ａｉに向けて誘導する案内面１６Ｓａおよび案内面１６Ｓｂが形成されている。案内面１６Ｓｂは、図３におけるＸ座標軸に沿って形成されている。案内面１６Ｓａは、案内面１６Ｓｂに対し所定の鈍角をもって交差し側壁１２ＲＷに近接するように傾斜している。
【００５０】
スライドブロック１６の底部には、案内溝１６ｇが図３におけるＹ座標軸に沿って形成されている。案内溝１６ｇには、スライドブロック１６が摺動可能となるように突起部１２Ｐが係合されている。
【００５１】
また、スライドブロック１６の端部と側壁１２ＲＷの内周部との間には、溝部１２Ｇａおよび１２Ｇｂ内のスライドブロック１６を、カード収容部１２Ａに進入させ、溝部１２Ｇａおよび１２Ｇｂの周縁に係合させ拘束させるように付勢するコイルスプリング２０が設けられている。これにより、上述のロック部材１０ＦＡの鉤状の第１のロック部１０ｆａがアンロック状態とされる場合、上述の待機位置にあるスライドブロック１６は、コイルスプリング２０の付勢力により進入位置に戻されることとなる。
【００５２】
さらに、カード収容部１２Ａにおけるカードスロット１２ＣＳの一部を形成する側壁１２ＲＷの内側の凹部１２Ｄには、上述のロック部材１０ＦＡの下方位置に、ロック機構制御片としてのロック金具２８が支持されている。ロック金具２８は、カードスロット１２ＣＳを通じてＳＤカードＳＤＣが挿入される場合、ロック部材１０ＦＡをアンロック状態とする。また、ロック金具２８は、カードスロット１２ＣＳを通じてＨＧ−Ｄｕｏカード２２およびＤｕｏカードが挿入される場合、ロック部材１０ＦＡのロック部１０ｆｂが開孔２８ａに挿入され、係止された状態を維持するのでロック部材１０ＦＡのロック状態も維持される。
【００５３】
ロック金具２８は、図１に示されるように、側壁１２ＲＷの内側に支持される固定部２８ｆと、固定部２８ｆに折曲部２８ｂを介して連結されるＹ座標軸（いわゆるコネクタの幅方向）に沿って弾性変位可能な可動片部２８ｍとから構成されている。
【００５４】
可動片部２８ｍの折曲部から側壁１２ＬＷの内周面までの距離Ｌａは、図４（Ａ）に示されるように、ＳＤカードＳＤＣの横幅寸法よりも若干小であって、ＨＧ−Ｄｕｏカード２２の横幅寸法よりも大となるように設定されている。
【００５５】
可動片部２８ｍは、開孔２８ａを一端部に有している。ＳＤカードＳＤＣの先端がカードスロット部１２ＣＳに挿入されていない場合、ロック部材１０ＦＡの第２のロック部１０ｆｂが開孔２８ａを貫通する。
【００５６】
ロック金具２８の可動片部２８ｍの折曲部２８ｂは、案内溝１２ＦＲを形成する壁部の開口部を通じて案内溝１２ＦＲ内に露出している。これにより、ＳＤカードＳＤＣがカードスロット１２ＣＳを通過するとき、ＳＤカードＳＤＣの進行方向の端部の側部が折曲部２８ｂに当接することとなる。
【００５７】
これにより、ＳＤカードＳＤＣがカードスロット１２ＣＳを通過する場合、ロック金具２８の可動片部２８ｍの折曲部２８ｂは、その弾性力に抗してその一端が固定部２８ｆに近接するようにＹ座標軸に沿って押圧されることとなる。従って、ロック金具２８の可動片部２８ｍの開孔２８ａの周縁が、ロック部材１０ＦＡの第２のロック部１０ｆｂに対し離隔することとなる。その結果、ロック部材１０ＦＡは、アンロック状態となるのでさらに進行するＳＤカードＳＤＣの端部により第１のロック部１０ｆａがカバー部材１０の内周面に向けて図３におけるＺ座標軸に沿って押し上げられる。
【００５８】
斯かる構成において、ＳＤカードＳＤＣが、カード収容部１２Ａに装着される場合、図４（Ａ）に示されるように、先ず、ＳＤカードＳＤＣのコンタクトパッドＳＤＥがカバー部材１０の内周面に向く姿勢（以下、リバース挿入姿勢ともいう）でＳＤカードＳＤＣがカードスロット１２ＣＳの案内溝１２ＦＲに挿入される。次に、図４（Ｂ）に示されるように、ＳＤカードＳＤＣの進行方向の端部の一方の側部が、案内溝１２ＦＲに露出するロック金具２８の可動片部２８ｍの折曲部２８ｂを押圧する。この際、折曲部２８ｂは、可動片部２８ｍの一端が固定部２８ｆに近接するようＹ座標軸に沿って押圧される。これにより、可動片部２８ｍの一端は、図５（Ａ）に拡大されて示される状態から図５（Ｂ）に示される第２のロック部１０ｆｂがロック金具２８の開孔２８ａから解放された状態に移動されることにより、ロック部材１０ＦＡの第２のロック部１０ｆｂをアンロック状態とする。その際、ＳＤカードＳＤＣの進行方向の端部の他方の側部は、側壁１２ＬＷの内周面に摺接している。
【００５９】
続いて、図４（Ｃ）に示されるように、ＳＤカードＳＤＣがさらに挿入されるとき、ＳＤカードＳＤＣの進行方向の端部により、スライドブロック１６の係止用段差部１６ｅと側壁１２ＲＷの内周部との間から図３におけるＺ座標軸に沿って押し上げられる。これにより、図５（Ｃ）に示されるように、第１のロック部１０ｆａと係止用段差部１６ｅとが離隔し、スライドブロック１６がアンロック状態とされる。
【００６０】
続いて、図４（Ｃ）に示されるように、ＳＤカードＳＤＣの進行方向の端部がスライドブロック１６の案内面１６Ｓａに当接した後、さらに押し込まれることにより、図４（Ｄ）および図５（Ｄ）に示されるように、スライドブロック１６がコイルスプリング２０の付勢力に抗して上述の進入位置から待機位置まで摺動せしめられる。その際、ＳＤカードＳＤＣの進行方向の端部の角部がイジェクト部材２４Ｊのカード受け部２４ＪＲに受け止められる。そして、ＳＤカードＳＤＣがさらに押し込まれることによって、イジェクト部材制御部によりＳＤカードＳＤＣを伴うイジェクト部材２４Ｊがカード収容部１２Ａ内に保持されるのでＳＤカードＳＤＣの装着が完了することとなる。これにより、ＳＤカードＳＤＣのコンタクトパッドＳＤＥがコンタクト端子１８ａｉの接点部に所定の圧力で当接される。一方、ＳＤカードＳＤＣがカード収容部１２Ａから排出される場合、ＳＤカードＳＤＣがさらに若干押し込まれることにより、コイルスプリング２４Ｓの付勢力により、ＳＤカードＳＤＣは、イジェクト部材２４Ｊとともに移動せしめられ、カードスロット１２ＣＳを通じて排出される。その際、スライドブロック１６が上述の進入位置に戻されることにより、ロック部材１０ＦＡの第１のロック部１０ｆａ、ロック金具２８の可動片部２８ｍが元の位置に戻される。これにより、スライドブロック１６がロック状態とされる。
【００６１】
ＳＤカードＳＤＣに代えて、ＨＧ−Ｄｕｏカード２２またはＤｕｏカードがカード収容部１２Ａに装着される場合、図３に示されるように、ＨＧ−Ｄｕｏカード２２またはＤｕｏカードの側部が、カードスロット１２ＣＳを通過するとき、ロック金具２８の可動片部２８ｍの折曲部２８ｂに干渉しない状態で通過する。このとき、第２のロック部１０ｆｂがロック金具２８の開孔２８ａに挿入されることで、係止された状態を維持しているので、ロック部材１０ＦＡがロック状態に維持される。これにより、挿入されたＨＧ−Ｄｕｏカード２２またはＤｕｏカードの進行方向の端部が、スライドブロック１６の案内面１６Ｓａおよび案内面１６Ｓｂによりコンタクト端子１８ａｉに向かって正規の位置に誘導されることとなる。
【００６２】
また、図６に示されるように、ＨＧ−Ｄｕｏカード２２の側部が、カードスロット１２ＣＳを通過するとき、斜めの姿勢で挿入されたＨＧ−Ｄｕｏカード２２の一方の側部が案内溝１２ＦＲに係合され、ロック金具２８の可動片部２８ｍの折曲部２８ｂを押圧する場合がある。この場合、ロック部材１０ＦＡの第２のロック部１０ｆｂがロック金具２８の開孔２８ａから解放され、第２のロック部１０ｆｂはアンロック状態とされるが、ＨＧ−Ｄｕｏカード２２の一方の側部が上部壁１２ＦＷに干渉し、第１のロック部材１０ｆａと係止用段差部１６ｅとの当接が維持されるのでスライドブロック１６のロック状態が維持されることとなる。また、ロック部材１０ＦＡの第１のロック部１０ｆａと係止用段差部１６ｅとが離隔し、スライドブロックをアンロック状態とすべく、ＨＧ−Ｄｕｏカード２２の一方の側部が上部壁１２ＦＷに干渉しないように案内溝１２ＦＲに対し離隔される場合がある。この場合、ロック部材１０ＦＡの第２のロック部１０ｆｂが開孔２８ａに挿入された係止状態を維持するのでロック部材１０ＦＡのロック状態が維持される。従って、万一、図６に示されるように、斜めの姿勢で挿入されたＨＧ−Ｄｕｏカード２２の一方の側部が案内溝１２ＦＲに係合された場合であっても、スライドブロック１６が誤って上述の進入位置から待機位置に摺動せしめられることを確実に回避できる。
【００６３】
図７は、本発明に係るカード用コネクタの第２実施例の外観を示す。
【００６４】
図２に示される第１実施例においては、スライドブロック１６およびロック金具２８が側壁１２ＲＷの内側にのみ設けられているが、その代わりに、図７に示される第２実施例においては、スライドブロック３６およびロック金具２８が側壁３２ＲＷおよび側壁３２ＬＷ双方の内側に設けられている。図７および図８においては、図２および図３に示される例における同一の構成要素について同一の符号を付して示し、その重複の説明を省略する。
【００６５】
カード用コネクタは、図７に示されるように、収容されるＳＤカードＳＤＣ、Ｄｕｏカード（不図示）に対する電気的接続を行う複数のコンタクト端子等が配列されるベース部材３２と、ベース部材３２と係合して各カードの共通のカード収容部を形成するカバー部材３０とを含んで構成されている。
【００６６】
門形状断面形状を有するカバー部材３０は、薄板の金属材料に対し打ち抜きや折曲げなどの加工が行われ形成されている。カバー部材３０の両方の側面部には、略長方形の係合孔が複数個、形成されている。図７に示されるように、カバー部材３０は、その各係合孔と、ベース部材３２の各爪部（不図示）とがそれぞれ係合されることにより、ベース部材３２に対し固定されることとなる。
【００６７】
また、カバー部材３０の両側面部を連結する上面部における一方の側面部側には、後述するイジェクト機構３４におけるカムレバー（不図示）を移動可能に支持する押さえバネ３０Ｃが設けられている。弾性を有する押さえバネ３０Ｃの基端部は、カバー部材３０に一体に形成されている。押さえバネ３０Ｃは、例えば、カバー部材３０の一部がプレス加工によりその内側に向けて打ち抜かれて形成されている。従って、カバー部材３０における押さえバネ３０Ｃに対応する部分の周囲には、開口が形成されている。
【００６８】
カバー部材３０の上面部における後述するカードスロット３２ＣＳ側であってカード収容部の真上となる位置には、スライドブロックロック部材３０ＦＡ（以下、ロック部材３０ＦＡともいう）が他の部分と一体に成形されている。ロック部材３０ＦＡは、ＳＤカードＳＤＣの着脱に応じて後述するスライドブロック３６および３８を、略同時にそれぞれ、ベース部材３２に対しロック状態、あるいは、アンロック状態とするものとされる。
【００６９】
ロック部材３０ＦＡの基端部は、図７に示されるように、カバー部材３０の上面部の他の部分と一体に成形されている。Ｚ座標軸（いわゆるコネクタの高さ方向）に沿って弾性変位可能なロック部材３０ＦＡの先端部における一方の分岐部には、スライドブロック３６が所定の進入位置にある場合、側壁３２ＲＷの内周面と一方のスライドブロック３６の係止用段差部３６Ｂとの間に配される帯状の第１のロック部３０ｆａと、ロック金具２８の開孔２８ａに挿入される第２のロック部３０ｆｐとを有している。第２のロック部３０ｆｐは、第１のロック部３０ｆａに対し略直交するように形成されている。
【００７０】
弾性変位可能なロック部材３０ＦＡの先端部における他方の分岐部には、スライドブロック３８が所定の進入位置にある場合、側壁３２ＬＷの内周面と他方のスライドブロック３８の係止用段差部３８Ｂとの間に配される帯状の第１のロック部３０ｆａと、ロック金具２８の開孔２８ａに挿入される第２のロック部３０ｆｐとを有している。第２のロック部３０ｆｐは、第１のロック部３０ｆａに対し略直交するように形成されている。ロック部材３０ＦＡの先端部、および、第１のロック部３０ｆａ、第２のロック部３０ｆｐの周囲には、開口部３０ａが形成されている。
【００７１】
さらに、上述の上面部における押さえバネ３０Ｃに隣接してコンタクト端子１９ａｉの真上となる位置には、複数の開口部３０ｄｉ（ｉ＝１〜８）が形成されている。各開口部３０ｄｉの周縁には、カード収容部に向けて突出する折曲片３０ｔが形成されている。折曲片３０ｔは、挿入されたＳＤカードＳＤＣの端部に当接することにより、正規の挿入方向側の端部とは逆となる方向側の端部からＳＤカードＳＤＣをカードスロットに誤って挿入する、所謂、逆差し挿入によるコンタクト端子の損傷を回避するものとされる。
【００７２】
ベース部材３２におけるカード収容部３２Ａは、上方、および後述するコンタクト端子固定部側とは反対側の端部が、開口している。カード収容部３２Ａは、ＳＤカードＳＤＣ、または、Ｄｕｏカード（不図示）のうちの１枚のＩＣカードが選択的に共通の平面上に収容される、即ち、２種類のＩＣカードに共用されるカード収容部とされる。
【００７３】
上述のカバー部材３０によりベース部材３２が覆われることにより、カード収容部３２Ａの一方の端部にＳＤカードＳＤＣ、またはＤｕｏカードのうちのいずれか一枚のＩＣカードが選択的に通過される共通のカードスロット３２ＣＳが形成されることとなる。
【００７４】
その共通のカードスロット３２ＣＳの周縁の双方の端部は、挿入されるＳＤカードＳＤＣの両側部を案内する案内溝３２ＦＲを有している。案内溝３２ＦＲの周縁の上壁部３２ＦＷは、側壁３２ＲＷおよび３２ＬＷに沿って所定の長さだけ延在している。そのような案内溝は、上壁部３２ＦＷに対し所定距離、カード収容部３２Ａ内の方向に離隔したガイド壁３２ＲＧおよび３２ＬＧの内側にも形成されている。
【００７５】
ベース部材３２は、例えば、成形樹脂材料で一体に成形されている。ベース部材３２は、カード収容部３２Ａの両側部をそれぞれ形成する側壁３２ＲＷおよび３２ＬＷと、Ｄｕｏカード用のコンタクト端子１８ａｉ（ｉ＝１〜１４）、ＳＤカードＳＤＣ用のコンタクト端子１９ａｉ（ｉ＝１〜９）が配されるコンタクト端子固定壁部３２ＢＷと、側壁３２ＲＷおよび３２ＬＷとコンタクト端子固定壁部３２ＢＷとを連結する底部とを含んで構成されている。
【００７６】
側壁３２ＬＷの外面には、上述のカバー部材１０の係合孔に対応して複数の爪部（不図示）が所定の間隔で形成されている。側壁３２ＲＷの外面にも、図示が省略されるが、同様な複数の爪部が上述のカバー部材３０の係合孔に対応して所定の間隔で形成されている。
【００７７】
側壁３２ＬＷの内側部分には、図８に示されるように、ＳＤカードＳＤＣまたはＤｕｏカードのうちの１枚のＩＣカードを、カード収容部３２Ａに保持するとともに、カード収容部３２Ａからその１枚のＩＣカードを選択的に排出するイジェクト機構３４が設けられている。
【００７８】
イジェクト機構３４は、ベース部材３２に対し移動可能に支持され、ＳＤカードＳＤＣ等を選択的に保持するイジェクト部材３４Ｊと、ベース部材３２のコンタクト端子固定壁部３２ＢＷに隣接する壁およびイジェクト部材３４Ｊ相互間に介装され、イジェクト部材３４ＪをＳＤカードＳＤＣの排出方向に付勢するコイルスプリング（不図示）と、ＳＤカードＳＤＣの着脱操作に応じてイジェクト部材３４Ｊを選択的にベース部材３２に対し保持または解放する制御を行うイジェクト部材制御部と、を含んで構成されている。
【００７９】
イジェクト部材制御部は、例えば、上述した第１実施例と同様に、イジェクト部材３４Ｊにおける側壁３２ＬＷ側に形成された略ハート形状のカム要素（ハートカム）と、ハートカムの周囲に形成された複数の段差部からなるレバー案内溝と、一方の端部が側壁３２ＬＷの孔に連結され、他方の端部がレバー案内溝に沿って摺動せしめられる門形状のカムレバー（不図示）と、上述のカバー部材３０の押さえバネ３０Ｃとを含んで構成されている。
【００８０】
押さえバネ３０Ｃは、カムレバーの屈曲された先端をレバー案内溝の案内面に対し摺接するように付勢するものとされる。これにより、カムレバーの一端部が、イジェクト部材３４Ｊの動作に追従してレバー案内溝を構成する各案内溝を順次、経由して案内され、ハートカムに形成されるカム面に一旦、保持されることによって、ＳＤカードＳＤＣ等を伴うイジェクト部材３４Ｊがカード収容部内に保持されることとなる。そして、ＳＤカードＳＤＣ等のさらなる押し込み操作により、そのカムレバーの一端部が、カム面から離隔されるとき、ＳＤカードＳＤＣ等を伴うイジェクト部材３４Ｊがコイルスプリングの付勢力によりカード排出方向に移動せしめられる。
【００８１】
イジェクト部材３４Ｊは、上述のカム要素およびレバー案内溝が内側に形成される部分に対し略垂直にカード収容部３２Ａ側に延びるカード受け部３４ＪＲを有している。カード受け部３４ＪＲは、ＳＤカードＳＤＣの先端部における略直角な角部、または、Ｄｕｏカードの先端部を受け止めるものとされる。
【００８２】
スライドブロック３６は、ベース部材３２の底部に形成される案内溝内（不図示）を図８におけるＹ座標軸に沿って摺動可能に配されている。これにより、スライドブロック３６は、図８に示されるように、カード収容部３２Ａに進入した進入位置と、後述するスライドブロック３６の案内面３６Ｓｂと案内溝３２ＦＲを形成する壁面とが共通の平面上にあるように後退した待機位置との間で摺動せしめられる。なお、Ｙ座標軸は、図８における直交座標において、ＳＤカードＳＤＣ等の着脱方向に沿ったＸ座標軸に対し直交する方向に沿ってとられている。
【００８３】
スライドブロック３６は、ベース部材３２の側壁３２ＲＷの内周部に向かい合うように配され上述の待機位置にスライドブロック３６を位置決めするＬ字状のストッパ部と、側壁３２ＲＷの内周部に向かい合うように配されストッパ部の一辺部と一体に形成される係止用段差部３６Ｂと、上述の案内溝内に配される底部とを含んで構成されている。
【００８４】
スライドブロック３６の底部からストッパ部の上面までの高さは、ストッパ部の上面が側壁３２ＲＷの上面と共通の平面上にあるように設定されている。
【００８５】
係止用段差部３６Ｂは、スライドブロック３６が進入位置にある場合、上述のロック部材３０ＦＡの帯状の第１のロック部３０ｆａの一端が当接する平坦部を有している。
【００８６】
このように係止用段差部３６Ｂと第１のロック部３０ｆａとが当接する状態を維持することで、スライドブロック３６のロック状態を維持している。
【００８７】
係止用段差部３６Ｂおよびストッパ部におけるカード収容部３２Ａに進入する外周面には、挿入されるＤｕｏカードの進行側の端部をコンタクト端子１８ａｉに向けて誘導する案内面３６Ｓａおよび案内面３６Ｓｂが形成されている。案内面３６Ｓｂは、図８におけるＸ座標軸に沿って形成されている。案内面３６Ｓａは、案内面３６Ｓｂに対し所定の鈍角をもって交差し側壁３２ＲＷに近接するように傾斜している。
【００８８】
また、スライドブロック３６の端部と側壁３２ＲＷの内周部との間には、案内溝内のスライドブロック３６をカード収容部３２Ａに進入させ、案内溝の周縁で拘束させるように付勢するコイルスプリング２０が設けられている。
【００８９】
スライドブロック３８は、ベース部材３２の底部に形成される案内溝内（不図示）を図８におけるＹ座標軸に沿って摺動可能に配されている。これにより、スライドブロック３８は、図８に示されるように、カード収容部３２Ａに進入した進入位置と、後述するスライドブロック３８の案内面３８Ｓｂと案内溝３２ＦＲを形成する壁面とが共通の平面上にあるように後退した待機位置との間で摺動せしめられる。
【００９０】
スライドブロック３８は、ベース部材３２の側壁３２ＬＷの内周部に向かい合うように配され上述の待機位置にスライドブロックスライドブロック３８を位置決めするＬ字状のストッパ部と、側壁３２ＬＷの内周部に向かい合うように配されストッパ部の一辺部と一体に形成される係止用段差部３８Ｂと、上述の案内溝内に配される底部とを含んで構成されている。
【００９１】
スライドブロック３８の底部からストッパ部の上面までの高さは、ストッパ部の上面が側壁３２ＬＷの上面と共通の平面上にあるように設定されている。
【００９２】
係止用段差部３８Ｂは、スライドブロック３８が進入位置にある場合、上述のロック部材３０ＦＡの帯状の第１のロック部３０ｆａの一端が当接する平坦部を有している。
【００９３】
このように係止用段差部３８Ｂと第１のロック部３０ｆａとが当接する状態を維持することで、スライドブロック３８のロック状態を維持している。
【００９４】
係止用段差部３８Ｂおよびストッパ部におけるカード収容部３２Ａに進入する外周面には、挿入されるＤｕｏカードの進行側の端部をコンタクト端子１８ａｉに向けて誘導する案内面３８Ｓａおよび案内面３８Ｓｂが形成されている。案内面３８Ｓｂは、図８におけるＸ座標軸に沿って形成されている。案内面３８Ｓａは、案内面３８Ｓｂに対し所定の鈍角をもって交差し側壁３２ＬＷに近接するように傾斜している。
【００９５】
また、スライドブロック３８の端部と側壁３２ＬＷの内周部との間には、案内溝内のスライドブロック３８をカード収容部３２Ａに進入させ、案内溝の周縁で拘束させるように付勢するコイルスプリング（不図示）が設けられている。
【００９６】
斯かる構成において、ＳＤカードＳＤＣが、カード収容部３２Ａに装着される場合、先ず、リバース挿入姿勢でＳＤカードＳＤＣの両側部がカードスロット３２ＣＳの案内溝３２ＦＲに挿入される。次に、ＳＤカードＳＤＣの進行方向の端部の双方の側部が、各案内溝３２ＦＲの開口部に露出する各ロック金具２８の可動片部２８ｍの折曲部２８ｂを押圧する。この際、折曲部２８ｂは、可動片部２８ｍの一端が固定部２８ｆに近接するようＹ座標軸に沿って押圧される。これにより、各可動片部２８ｍの一端は、第２のロック部３０ｆｐがロック金具２８の開孔２８ａから解放された状態に移動されることにより、ロック部材３０ＦＡの各第２のロック部３０ｆｐをアンロック状態とする。
【００９７】
続いて、ＳＤカードＳＤＣがさらに挿入されるとき、アンロック状態とされたロック部材３０ＦＡの一方の第１のロック部３０ｆａがＳＤカードＳＤＣの進行方向の端部により、スライドブロック３６の係止用段差部３６Ｂと側壁３２ＲＷの内周部との間から図８におけるＺ座標軸に沿って押し上げられる。これにより、係止用段差部３６Ｂと第１のロック部３０ｆａとが離隔し、スライドブロック３６がアンロック状態とされる。
【００９８】
また、アンロック状態とされたロック部材３０ＦＡの他方の第１のロック部３０ｆａがＳＤカードＳＤＣの進行方向の端部により、スライドブロック３８の係止用段差部３８Ｂと側壁３２ＬＷの内周部との間から図８におけるＺ座標軸に沿って押し上げられる。これにより、係止用段差部３８Ｂと第１のロック部３０ｆａとが離隔し、スライドブロック３８がアンロック状態とされる。
【００９９】
続いて、ＳＤカードＳＤＣの進行方向の端部の二箇所がスライドブロック３６の案内面３６Ｓａおよびスライドブロック３８の案内面３８Ｓａに当接した後、さらに押し込まれることにより、スライドブロック３６および３８がコイルスプリング２０の付勢力に抗して上述の進入位置から待機位置まで摺動せしめられる。その際、ＳＤカードＳＤＣの進行方向の端部の面取り部がイジェクト部材３４Ｊのカード受け部３４ＪＲに受け止められる。そして、ＳＤカードＳＤＣがさらに押し込まれることによって、イジェクト部材制御部によりＳＤカードＳＤＣを伴うイジェクト部材３４Ｊがカード収容部３２Ａ内に保持されるのでＳＤカードＳＤＣの装着が完了することとなる。これにより、ＳＤカードＳＤＣのコンタクトパッドＳＤＥがコンタクト端子１８ａｉの接点部に所定の圧力で当接される。
【０１００】
ＳＤカードＳＤＣに代えて、Ｄｕｏカードがカード収容部３２Ａに装着される場合、Ｄｕｏカードの両側部が、カードスロット３２ＣＳを通過するとき、ロック金具２８の可動片部２８ｍの折曲部２８ｂに干渉しない状態で通過する。このとき、第２のロック部３０ｆｐがロック金具が開孔２８ａに挿入され、係止された状態を維持しているので、ロック部材３０ＦＡがロック状態に維持される。これにより、挿入されたＤｕｏカードの進行方向の端部が、スライドブロック３６の案内面３６Ｓａおよび案内面３６Ｓｂ、スライドブロック３８の案内面３８Ｓａおよび案内面３８Ｓｂによりコンタクト端子１８ａｉに向かって正規の位置に誘導されることとなる。
【０１０１】
図９（Ａ）は、本発明に係るカード用コネクタの第３実施例の外観を示す。
【０１０２】
図９（Ａ）において、カード用コネクタは、図１に示される例と同様に、収容されるＳＤカードＳＤＣ、ＨＧ−Ｄｕｏカード２２またはＤｕｏカード（不図示）に対する電気的接続を行う上述の複数のコンタクト端子１８ａｉ，１９ａｉと同様な複数のコンタクト端子等が配列されるベース部材４２と、ベース部材４２と協働して各カードの共通のカード収容部を形成するカバー部材４０とを含んで構成されている。また、カード用コネクタは、図１に示される例と同様に、上述のイジェクト機構２４、ロック金具２８およびスライドブロック１６等と同様なイジェクト機構、ロック金具およびスライドブロック（不図示）等を備えている。
【０１０３】
門形状断面形状を有するカバー部材４０は、薄板の金属材料に対し打ち抜きや折曲げなどの加工が行われ形成されている。カバー部材４０の両方の側面部には、それぞれ、略長方形の係合孔が複数個、形成されている。
【０１０４】
カバー部材４０は、その各係合孔と、ベース部材４２の各爪部がそれぞれ係合されることにより、ベース部材４２に対し固定されることとなる。
【０１０５】
また、カバー部材４０の両側面部を連結する上面部における一方の側面部側には、イジェクト機構におけるカムレバー（不図示）を移動可能に支持する押さえバネ（不図示）が設けられている。弾性を有する押さえバネの基端部は、カバー部材４０に一体に形成されている。押さえバネは、例えば、カバー部材４０の一部がプレス加工によりその内側に向けて打ち抜かれて形成されている。
【０１０６】
カバー部材４０の上面部におけるカードスロット４２ＣＳ側であってカード収容部４２Ａの真上となる位置には、所定の間隔をもって形成される押圧片４０ＦＢおよび４０ＦＣが形成されている。弾性変位可能な押圧片４０ＦＢおよび４０ＦＣの先端部は、それぞれ、カード収容部内に進入し、挿入されたＳＤカードＳＤＣをカード収容部に向けて付勢するものとされる。これにより、ＳＤカードＳＤＣが排出される場合、ＳＤカードＳＤＣの急峻な飛び出しが回避される。押圧片４０ＦＢおよび４０ＦＣの基端部は、それぞれ、カバー部材４０の上面部の他の部分と一体に成形されている。押圧片４０ＦＢおよび４０ＦＣの先端部には、それぞれ、挿入されたＳＤカードＳＤＣの表面に当接する当接部を有している。押圧片４０ＦＢおよび４０ＦＣの先端部の周囲には、それぞれ、開口部が形成されている。
【０１０７】
また、カバー部材４０の上面部には、スライドブロックロック部材４０ＦＡが形成されている。スライドブロックロック部材４０ＦＡは、カバー部材４０の一方の側面部と押圧片４０ＦＢとの間に設けられている。スライドブロックロック部材４０ＦＡ（以下、ロック部材４０ＦＡともいう）は、他の部分と一体に成形されている。ロック部材４０ＦＡは、ＳＤカードＳＤＣの着脱に応じてスライドブロックをベース部材４２に対しロック状態、あるいは、アンロック状態とするものとされる。
【０１０８】
ロック部材４０ＦＡの基端部は、カバー部材４０の上面部の他の部分と一体に成形されている。Ｚ座標軸（いわゆるコネクタの高さ方向）に沿って弾性変位可能なロック部材４０ＦＡの先端部は、カード収容部に向けてカバー部材４０の上面部が打ち抜かれ形成されている。ロック部材４０ＦＡの周囲には、開口部が形成されている。ロック部材４０ＦＡは、上述のスライドブロックが所定の進入位置にある場合、側壁４２ＲＷの内周面とスライドブロックの係止用段差部との間に配される鉤状の第１のロック部と、図１に示されるロック金具２８と同様なロック金具の開孔に挿入される第２のロック部とを有している。その第１のロック部および第２のロック部は、所定の間隔をもって互いに平行に形成されている。
【０１０９】
さらに、上述の上面部における押さえバネに隣接してコンタクト端子の真上となる位置には、複数の開口部が形成されている。各開口部の周縁には、カード収容部に向けて突出する折曲片が形成されている。折曲片は、挿入されたＳＤカードＳＤＣの端部に当接することにより、正規の挿入方向側の端部とは逆となる方向側の端部からＳＤカードＳＤＣを誤ってカードスロット４２ＣＳに挿入する、所謂、逆差し挿入によるコンタクト端子の損傷を回避するものとされる。
【０１１０】
さらに加えて、図９（Ｂ）に拡大されて示されるように、カバー部材４０の上面部における押圧片１０ＦＣに隣接しカードスロット４２ＣＳ近傍を臨む位置には、突起片４０Ｔが設けられている。突起片４０Ｔは、カバー部材４０の一部が側壁４２ＬＷの切欠部４２ＬＷａに向けて所定の長さだけ突出するようにその上面に対し略垂直に折り曲げられることにより形成されている。突起片４０Ｔは、コンタクトパッドをベース部材４２の底面に向けた状態でＳＤカードＳＤＣを挿入する、所謂、誤ったカードの裏差し挿入をカードスロット４２ＣＳ近傍の位置で規制するものとされる。また、突起片４０Ｔは、薄板金属材料で成形されているので容易に折れ曲がることなくＳＤカードＳＤＣの誤挿入を確実に防止する。その際、使用者は、カードをカードスロット４２ＣＳへ挿入直後、誤ったカードの裏差し挿入に容易に気づくこととなる。
【０１１１】
一方、図４（Ａ）〜（Ｄ）に示されるように、リバース挿入姿勢でＳＤカードＳＤＣが挿入される場合、ＳＤカードＳＤＣは、突起片４０Ｔの下方を通過し正規の位置まで挿入される。
【０１１２】
図１に示される例におけるカバー部材１０およびベース部材１２の場合、例えば、図１０（Ａ）および（Ｂ）に示されるように、仮に、誤ってＳＤカードＳＤＣの裏差し挿入が行われるとき、ＳＤカードＳＤＣのライトプロテクトボタンＳＤＢが側壁１２ＬＷの端部に係合されることによって使用者の意図に反し移動せしめられる虞がある。
【０１１３】
しかしながら、図９（Ａ）および（Ｂ）に示される例においては、仮に、誤ってＳＤカードＳＤＣの裏差し挿入が行われた場合であっても、ＳＤカードＳＤＣの最先端部がカードスロット４２ＣＳに挿入直後に、突起片４０Ｔに当接することによりさらなる挿入操作が規制され、ＳＤカードＳＤＣのライトプロテクトボタンＳＤＢが側壁１２ＬＷの端部に干渉する虞がないのでＳＤカードＳＤＣのライトプロテクトボタンＳＤＢが不所望に移動せしめられることが回避される。
【０１１４】
なお、斯かる構成において、ＳＤカードＳＤＣおよびＨＧ−Ｄｕｏカード２２がカード収容部４２Ａに着脱される場合、図１に示される第１実施例と同様な作用効果を奏するので本実施例についての動作については、その重複説明を省略する。
【符号の説明】
【０１１５】
１０    カバー部材
１０ＦＡ，３０ＦＡ    ロック部材
１２    ベース部材
１２ＣＳ，３２ＣＳ    カードスロット
１６，３６，３８    スライドブロック
１６ａｉ，１８ａｉ    コンタクト端子
２０    コイルスプリング
２２    ＨＧ−Ｄｕｏカード
２８    ロック金具
４０Ｔ    突起片
ＳＤＣ    ＳＤカード
【図１】
0005803773.tif 000002
【図２】
0005803773.tif 000003
【図３】
0005803773.tif 000004
【図４】
0005803773.tif 000005
【図５】
0005803773.tif 000006
【図６】
0005803773.tif 000007
【図７】
0005803773.tif 000008
【図８】
0005803773.tif 000009
【図９】
0005803773.tif 000010
【図１０】
0005803773.tif 000011